(57)【要約】      （修正有）【課題】大型化を抑えつつ保持力を高めたカードコネクタを提供する。【解決手段】ハウジング１０と、受容空間１ｂに受容されたトレイ３０の係止凹部３３に入り込んでトレイ３０を係止する係止部１２１を有するフックバネ１２と、挿入方向にスライド自在に配置されたスライダ１４と、受容空間１ｂの奥側に配置され幅方向に延びて途中に回動軸１５１を有し、挿入方向奥側にスライドしたスライダ１４に第１端１５２が押されて回動しトレイ３０を第２端１５３で押し出すイジェクトレバー１５とを備える。フックバネ１２は、板材のせん断加工により形成され、フックバネ１２の係止部１２１が、トレイ３０の側面にせん断面を向けて係止凹部３３に入り込んでトレイ３０を係止する。【選択図】図３
0003189283.tif 000002
【実用新案登録請求の範囲】
【請求項１】
挿入方向に挿入されてきた、該挿入方向に交わる幅方向側面に係止凹部が形成された挿入体を受容する受容空間が形成されたカードコネクタであって、
ハウジングと、
前記受容空間に受容された前記挿入体の前記係止凹部に入り込んで該挿入体を係止する係止部を有するフックバネと、
前記挿入方向にスライド自在に配置されたスライダと、
前記受容空間奥側に配置され前記幅方向に延びて途中に回動軸を有し、挿入方向奥側にスライドしたスライダに第１端が押されて回動し前記挿入体を第２端で押し出すイジェクトレバーとを備え、
前記フックバネが、板材のせん断加工により形成され、該板材の厚み寸法よりも幅広な前記幅方向の寸法を有するものであることを特徴とするカードコネクタ。
【請求項２】
前記フックバネが、前記スライダと一体にせん断加工され、該スライダとともにスライドするものであることを特徴とする請求項１記載のカードコネクタ。
【請求項３】
前記挿入体が、カードが搭載されて該カードとともに前記受容空間に挿入されるカードトレイを有し、該カードトレイに前記係止凹部が形成されていることを特徴とする請求項１又は２記載のカードコネクタ。
【考案の詳細な説明】
【技術分野】
【０００１】
本考案は、メモリカードやＳＩＭ（加入者識別モジュール）カード等のカードが挿入されるカードコネクタに関する。
【背景技術】
【０００２】
カードコネクタの場合、カードが挿入された状態で多少の衝撃が加わってもカードが正規の挿入位置から抜け出ないように保持しておく必要がある。
【０００３】
特許文献１には、挿入されたカードの保持部材として作用するイジェクトプレートをハウジングのガイド壁に沿わせることによって保持力を向上させたカードコネクタが開示されている。
【先行技術文献】
【特許文献】
【０００４】
【特許文献１】特開２００３−２１７７３８号公報
【考案の概要】
【考案が解決しようとする課題】
【０００５】
上掲の特許文献１の技術では、イジェクトプレートをハウジングのガイド壁に沿わせてはいるが、衝撃が加わったときそのイジェクトプレートの係合部が潰れる方向に変形し、保持力のさらなる向上は望めない。保持力をさらに高めようとすると、大型の保持部材を必要とするなど、カードコネクタの大型化を招くおそれがある。
【０００６】
本考案は、大型化を抑えつつ保持力を高めたカードコネクタを提供することを目的とする。
【課題を解決するための手段】
【０００７】
上記目的を達成する本考案のカードコネクタは、挿入方向に挿入されてきた、挿入方向に交わる幅方向側面に係止凹部が形成された挿入体を受容する受容空間が形成されたカードコネクタであって、
ハウジングと、
受容空間に受容された挿入体の係止凹部に入り込んで挿入体を係止する係止部を有するフックバネと、
挿入方向にスライド自在に配置されたスライダと、
受容空間奥側に配置され幅方向に延びて途中に回動軸を有し、挿入方向奥側にスライドしたスライダに第１端が押されて回動し挿入体を第２端で押し出すイジェクトレバーとを備え、
上記フックバネが、板材のせん断加工により形成され、この板材の厚み寸法よりも幅広な上記幅方向の寸法を有するものであることを特徴とする。
【０００８】
本考案のカードコネクタは、挿入体の保持を担うフックバネを備え、そのフックバネが、せん断加工の材料とした板材の厚みよりも幅広な、上記幅方向の寸法を有するものであるため、このカードコネクタに衝撃が加わってもフックバネの係止部が潰れることはなく、所期の強固な保持力が保たれる。
【０００９】
ここで、本考案のカードコネクタにおいて、上記フックバネが、スライダと一体にせん断加工され、スライダとともにスライドするものであることが好ましい。
【００１０】
フックバネをスライダと一体にせん断加工することで、部品点数が削減され、また、フックバネをスライダとは別体に形成したときのハウジングのフックバネの保持部も不要となり、小型化、低コスト化に寄与する。
【００１１】
さらに、本考案において、上記挿入体は、カード自体であって、そのカード自体に係止凹部が形成されていてもよい。あるいは、上記挿入体は、カードが搭載されてカードとともに受容空間に挿入されるカードトレイを有し、そのカードトレイに係止凹部が形成されていてもよい。カードトレイに係止凹部を形成し、そのカードトレイにカードを搭載して受容空間に挿入するタイプのカードコネクタの場合、カード自体にはこの係止構造に関する考慮は不要である。したがって、本考案は、カードトレイを備えたタイプのカードコネクタにより向いている。
【考案の効果】
【００１２】
以上の本考案のカードコネクタによれば、大型化を招くことなく、挿し込まれた状態の挿入体の不用意な抜けが防止される。
【図面の簡単な説明】
【００１３】
【図１】本考案の第１実施形態としてのカードコネクタの、トレイを抜き出した状態の平面図である。
【図２】図１に示すカードコネクタから金属シェルを取り除いた状態の、カードコネクタの平面図である。
【図３】トレイが受容空間に受容された状態のカードコネクタの平面図である。
【図４】受容空間に受容されたトレイが押し出される途中の状態を示した、カードコネクタの平面図である。
【図５】受容空間に受容されたトレイが押し出された後の状態を示した、カードコネクタの平面図である。
【図６】本実施形態のスライダの斜視図である。
【考案を実施するための形態】
【００１４】
以下、本考案の実施形態について説明する。
【００１５】
図１は、本考案の第１実施形態としてのカードコネクタの、トレイを抜き出した状態の平面図である。
【００１６】
また、図２は、図１に示すカードコネクタから金属シェルを取り除いた状態の、カードコネクタの平面図である。尚、ここでは、金属シェルの有無にかかわらずカードコネクタと称することがある。
【００１７】
また、図３は、トレイが受容空間に受容された状態のカードコネクタの平面図である。
【００１８】
さらに、図４，図５は、それぞれ受容空間に受容されたトレイが押し出される途中の状態および押し出された後の状態を示した、カードコネクタの平面図である。
【００１９】
これら図３〜図５では、金属シェル２０は、取り外されている。また、これら図３〜図５では、ハウジング組立体１０とトレイ３０の位置関係が分かるように、双方が重ね描きされている。
【００２０】
このカードコネクタ１には、ハウジング組立体１０（図２参照）と、金属シェル２０（図１参照）と、トレイ３０が備えられている。トレイ３０には、中央に大きな開口３１が形成され、その開口の縁に支持台３２が設けられている。このトレイ３０には、ＳＩＭカード（図示せず）が、そのＳＩＭカード底面の周縁を支持台３２に載せ、そのＳＩＭカード底面の中央の広い領域を開口３１から下方に露出させた状態に支持される。
【００２１】
ハウジング組立体１０と金属シェル２０との間には、トレイ３０が差し込まれる差込口１ａが形成されている。また、その差込口１ａの奥には、トレイ３０に載置された状態のＳＩＭカードを受け入れる受容空間１ｂ（例えば図２参照）が形成されている。トレイ３０は、ハウジング組立体１０に対し、矢印Ａで示す挿入方向に挿入される。本実施形態では、トレイ３０単体か、あるいは、トレイ３０と、このトレイ３０に載置されるＳＩＭカードとを合わせたものが、本考案にいう挿入体の一例に相当する。
【００２２】
また、トレイ３０には、挿入方向（矢印Ａ方向）に交わる幅方向側面に係止凹部３３が形成されている。一方、ハウジング組立体１０には、フックバネ１２が備えられている。このフックバネ１２には、係止部１２１が設けられており、トレイ３０が受容空間１ｂに受容されると、フックバネ１２の係止部１２１がトレイ３０の係止凹部３３に入り込んでトレイ３０を係止する。この係止により、トレイ３０の不用意な抜け防止が図られている。本実施形態におけるフックバネ１２は、後述するスライダ１４と一体の部品として構成されている。
【００２３】
また、ハウジング組立体１０には、樹脂製のハウジング１１と一体に成形された金属製の複数のコンタクト１３が備えられている。各コンタクト１３は、回路基板（図示せず）の表面に半田接続される基板接続部１３１を有する。トレイ３０に載置されたＳＩＭカードの下面には、電気的な接続を担うパッドが形成されている。これらのコンタクト１３は、トレイ３０に載置されて受容空間１ｂに受容されたＳＩＭカードの下面のパッドに接触し、ＳＩＭカードと回路基板とを電気的に相互接続する役割を担っている。
【００２４】
また、このハウジング組立体１０にはさらに、スライダ１４とイジェクトレバー１５が備えられている。
【００２５】
スライダ１４は、本実施形態ではフックバネ１２と一体に形成された金属部材であり、挿入方向（矢印Ａ方向）に延びてハウジング１１に対し挿入方向（矢印Ａ方向）にスライド自在に、そのハウジング１１に支持されている。
【００２６】
図６は、本実施形態のスライダの斜視図である。
【００２７】
このスライダ１４は、フックバネ１２と一体に、金属板材のせん断加工および折り曲げ加工により形成されていて、フックバネ１２の係止部１２１は、そのせん断面を横に向けた形状となっている。
【００２８】
本実施形態のカードコネクタ１の説明に戻る。
【００２９】
トレイ３０には、スライダ１４を押し込むための外部のピン４０（図４，図５参照）が差し込まれる貫通孔３４が形成されており、また、ハウジング１１にもそのピン４０を受け入れる開口１１２が形成されている。
【００３０】
また、イジェクトレバー１５は、受容空間１ｂの奥側に配置されて挿入方向（矢印Ａ方向）に交わる幅方向に延びる金属部材であり、その途中がハウジング１１に回動自在に支持されて回動軸１５１が形成されている。このイジェクトレバー１５は、挿入方向（矢印Ａ方向）奥側にスライドしたスライダ１４に第１端１５２が押されて反時計回り（図４，図５に示す矢印Ｄの向き）に回動し、トレイ３０を第２端１５３で押し出す役割を担っている。
【００３１】
図１，図２に示すように取り出されている状態のトレイ３０を挿入方向（矢印Ａ方向）に挿入口１ａから挿入し、受容空間１ｂに受容させる。すると図３に示すように、イジェクトレバー１５の第２端１５３がトレイ３０で押されて時計回り（矢印Ｃの向き）に回動し、スライダ１４を挿入方向手前側（図４に示す矢印Ｂ方向）にスライドさせる。スライダ１４のこの動きにより、フックバネ１２の係止部１２１がトレイ３０の係止凹部３３に入り込んでトレイ３０の不用意な抜けを防止する。
【００３２】
ここで、このフックバネ１２は、せん断加工によりこのフックバネ１２を形成する基になった板材の厚み寸法よりも幅広な、挿入方向（矢印Ａ方向）に交わる幅方向の寸法を有している。具体的には、このフックバネ１２は、基になった板材の面を上下方向に向け、せん断加工により形成されたせん断面をトレイ３０の側面に向けている。そしてそのフックバネ１２の係止部１２１は、トレイ３０側に突き出た形状を有し、そのトレイ３０の係止凹部３０に入り込んでいる。このため、この係止部１２１は剛体として作用する。したがって、トレイ３０が抜ける向きに衝撃が加わっても係止部１２１が潰れるような変形が防止されて所期の保持力が維持され、トレイ３０の強固な抜け止めが図られる。
【００３３】
図４に示すように、トレイ３０の貫通孔３４からピン４０を差し込んでピン４０でスライダ１４を挿入方向（矢印Ａ方向）奥側に押し込むと、そのスライダ１４でイジェクトレバー１５の第１端１５２が押される。すると、イジェクトレバー１５が反時計回り（矢印Ｄの向き）に回動しその第２端１５３でトレイを挿入方向手前側（矢印Ｂ方向）に押す。そして、トレイ３０が挿入方向手前側（矢印Ｂ方向）に移動し、フックバネ１２が図４に示すように弾性変形してその係止部１２１がトレイ３０の係止凹部３３から外れ、この図４に示す状態を経てトレイ３０が図５に示す状態にまで押し出される。図５に示す状態にまで押し出された後は、指の爪などをトレイ３０に掛けてトレイ３０が引き出される。
【００３４】
尚、上記の本実施形態のカードコネクタ１ではＳＩＭカードは図示を省略したが、カードコネクタ１には、ＳＩＭカードを載せた状態のトレイ３０が挿入される。ただし、本考案は、ＳＩＭカード以外のメモリカードをトレイに載せて挿入するカードコネクタにも適用可能である。
【００３５】
なお、本実施形態では、フックバネ１２の係止部１２１はせん断面をトレイ３０の側面に向けてトレイ３０の係止凹部３３に入り込んでいるが、フックバネ１２の係止部１２１のせん断面は、必ずしもトレイ３０の係止凹部３３を向いている必要はない。例えば、係止部１２１の縁が曲げ加工されてせん断面が下方等の別の方向を向いていてもよい。あるいは、せん断面にスエージ加工等を施すことによって係止部１２１を形成してもよい。
【００３６】
また、本実施形態では、フックバネ１２は、スライダ１４と一体に加工されているが、このフックバネ１２は、スライダ１４とは別体に形成されてハウジング１１等に支持されたものであってもよい。ただし、一体であるか別体であるかを問わず、本発明のフックバネは、板材のせん断加工により形成されてその板材の厚み寸法よりも幅広な幅方向の寸法を有する形状に構成される。
【００３７】
また、本実施形態のカードコネクタ１は、ＳＩＭカードをトレイ３０に載せて挿入するタイプのカードコネクタであるが、本考案は、メモリカード等のカードをトレイなしに挿入するタイプのカードコネクタにも適用することができる。ただし、その場合は、そのカード自体に係止凹部が設けられている必要がある。
【符号の説明】
【００３８】
１    カードコネクタ
１ａ    挿入口
１ｂ    受容空間
１０    ハウジング組立体
１１    ハウジング
１２    フックバネ
１３    コンタクト
１４    スライダ
１５    イジェクトレバー
２０    金属シェル
３０    トレイ
３１    開口
３２    支持台
３３    係止凹部
３４    貫通孔
４０    ピン
１１２    開口
１２１    係止部
１５１    回動軸
１５２    第１端
１５３    第２端
【図１】
0003189283.tif 000003
【図２】
0003189283.tif 000004
【図３】
0003189283.tif 000005
【図４】
0003189283.tif 000006
【図５】
0003189283.tif 000007
【図６】
0003189283.tif 000008